(57)【要約】【課題】メッシュに残った絞り粕をより容易に洗浄が出来る回転調理装置を提供する。【解決手段】モータ２を内蔵し、その出力側に駆動コネクタ３ａ、３ｂを設けた本体１と、前記駆動コネクタ３ａ、３ｂに着脱自在に係合する従動側コネクタ４ａ、４ｂをもつカッター５およびスピンナー６と、前記スピンナー６内に設けられ液体を分離するフィルター７と、前記フィルター７で分離された液体を受ける容器８と、前記容器８を覆う蓋１１と、前記フィルター７の内側に着脱自在のメッシュ付きフィルター９とを備え、前記メッシュ付きフィルター９に、変形自在のメッシュ状のフィルター９ｃを設けたもので、メッシュ付きフィルター９の上部と下部を持ってそれぞれ逆方向にひねるだけで、メッシュ状のフィルター９ｃに残った絞り粕を簡単に処理することが出来て、洗浄を容易にすることが出来る。【選択図】図１
2014014422.tif 000002
【特許請求の範囲】
【請求項１】
モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、前記メッシュ付きフィルターに、変形自在のメッシュ状のフィルターを設けた回転調理装置。
【請求項２】
モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、メッシュ状のフィルターが前記メッシュ付きフィルターに着脱可能に取り付けられた回転調理装置。
【発明の詳細な説明】
【技術分野】
【０００１】
本発明は、主として野菜、果物等を粉砕して液体物と固形物を分離させることによりジュースをつくる、例えばジューサーなどの回転調理装置に関するものである。
【背景技術】
【０００２】
従来、この種の回転調理装置は、図６のように、モータ３１の出力側に駆動コネクタ３２を設けた本体３４と、駆動コネクタ３２に着脱自在に係合する従動側コネクタ３３をもつカッター３５およびスピンナー３６と、前記スピンナー３６内に着脱自在に設けられ液体を分離するフィルター２７と、前記フィルター２７で分離された液体を受ける容器３７と、前記容器３７を覆う蓋３８を有し、前記フィルター２７の内側に着脱自在のメッシュがインサート成型されたメッシュ付きフィルター２９で構成したものであった（例えば、特許文献１参照）。
【０００３】
したがって、スピンナーにメッシュ付きフィルター２９を装着した場合には、クリアなジュースをつくることが出来る。
【先行技術文献】
【特許文献】
【０００４】
【特許文献１】特開昭５９−１７１５１３号公報
【発明の概要】
【発明が解決しようとする課題】
【０００５】
しかしながら、前記特許文献１に記載されたような従来の回転調理装置の構成では、メッシュは環状に巻かれ、その外周を樹脂の枠で覆い筒状にインサート成型され、枠と枠は桟で繋がって一体化したものであるため自由度がなかった。そのためメッシュに残った絞り粕の処理が簡単に出来なかった上、洗浄も容易に出来ない、という課題があった。
【０００６】
本発明は、前記従来の課題を解決するもので、メッシュに残った絞り粕の処理を簡単にし、洗浄も容易に出来る回転調理装置を提供することを目的とする。
【課題を解決するための手段】
【０００７】
前記従来の課題を解決するために、本発明の回転調理装置は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、前記メッシュ付きフィルターに、変形自在のメッシュ状のフィルターを設けたもので、メッシュ付きフィルターの上部と下部を持ってそれぞれ逆方向にひねるだけで、メッシュ状のフィルターに残った絞り粕を簡単に処理することが出来て、洗浄を容易にすることが出来る。
【０００８】
また、本発明の回転調理装置は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、メッシュ状のフィルターが前記メッシュ付きフィルターに着脱可能に取り付けられたもので、使用後はメッシュ付きフィルターの上枠と下枠とメッシュ状のフィルターに分解でき、メッシュ状のフィルターに残った絞りを簡単に処理することが出来て、洗浄を容易にすることが出来る。
【発明の効果】
【０００９】
本発明の回転調理装置によれば、メッシュに残った絞り粕を簡単に処理し、お手入れ性を向上させることができるものである。
【図面の簡単な説明】
【００１０】
【図１】本発明の実施の形態１における回転調理装置の断面図
【図２】同回転調理装置のメッシュ付きフィルターの側面図
【図３】同メッシュ付きフィルターの要部側面拡大図
【図４】同メッシュ付きフィルターの他の例を示す要部断面図
【図５】本発明の実施の形態２における回転調理装置のメッシュ付きフィルターの要部断面図
【図６】従来の回転調理装置の断面図
【発明を実施するための形態】
【００１１】
第１の発明は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、前記メッシュ付きフィルターに、変形自在のメッシュ状のフィルターを設けたもので、メッシュ付きフィルターの上部と下部を持ってそれぞれ逆方向にひねるだけで、メッシュ状のフィルターに残った絞り粕を簡単に処理することが出来て、洗浄を容易にすることが出来る。
【００１２】
第２の発明は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋と、前記フィルターの内側に着脱自在のメッシュ付きフィルターとを備え、メッシュ状のフィルターが前記メッシュ付きフィルターに着脱可能に取り付けられたもので、使用後はメッシュ付きフィルターの上枠と下枠とメッシュ状のフィルターに分解でき、メッシュ状のフィルターに残った絞り粕を簡単に処理することが出来て、洗浄を容易にすることが出来る。
【００１３】
以下、本発明の実施の形態について、図面を参照しながら説明する。なお、この実施の形態によって本発明が限定されるものではない。
【００１４】
（実施の形態１）
図１は、本発明の実施の形態１における回転調理装置の断面図、図２は、同回転調理装置のメッシュ付きフィルターの側面図、図３は、同メッシュ付きフィルターの要部側面拡大図である。
【００１５】
図１において、本実施の形態における回転調理装置は、本体１に内蔵したモータ２に直結した駆動コネクタ３ａ、３ｂと、駆動コネクタ３ａ、３ｂに着脱自在に係合する従動側コネクタ４ａ、４ｂを備え、従動側コネクタ４ａ、４ｂを介しカッター５を回転させ調理物を切削し、同じく従動側コネクタ４ａ、４ｂを介しスピンナー６を回転させ、着脱自在のフィルター７により、液体と固形物を分離させるようになっている。
【００１６】
また、フィルター７で分離された液体は、容器８を通過し、外部へ放出される。クリアなジュースを作る時は、フィルター７の内部に着脱可能なメッシュ付きフィルター９を装着すればよい。
【００１７】
また、容器８及びスピンナー６は、蓋１１で覆われている。
【００１８】
フィルター７は櫛部７ａを有しており、この部位でジュースを分離させる。また、スピンナー６の凹部６ａに、フィルター７の凸部７ｂを係合させるようになっており、スピンナー６は、係合したフィルター７の凸部７ｂが外れない方向に回転するようになっている。
【００１９】
メッシュ付きフィルター９はフィルター７の内側に着脱自在に係合されている。具体的にはフィルター７の凸部７ｃとメッシュ付きフィルター９の係合部９ｅが係合することで、メッシュ付きフィルター９の上方への移動が規制されるようになっている。
【００２０】
メッシュ付きフィルター９の上枠９ａ、下枠９ｂは、リング状の樹脂など（例えばポリプロピレン）で出来ており、上枠９ａと下枠９ｂの間にメッシュ状のフィルター９ｃがインサート成型（溶着、接着でもよい）されている。フィルター９ｃのメッシュサイズは、数十メッシュあるいは数百メッシュのサイズとしている。
【００２１】
フィルター９ｃはリング状の樹脂の外側でも中央でも内側でもどの位置にあってもよい。上枠９ａには、径方向の位置決め用のリブ９ｅを設け、フィルター７とこの上枠９ａで位置規制をすることにより、フィルター７とメッシュ付きフィルター９同士の接触を防止することが出来る。上枠９ａとフィルター７の距離をメッシュ付きフィルター９とフィルター７の距離より小さくすることで位置規制をし、リブ９ｅを廃止してもよい。また、図４のように、上枠９ａと下枠９ｂの間に桟９ｄを通し、その素材をゴムなどの変形しやすい材料にしてもよい。
【００２２】
以上のように、本実施の形態における回転調理装置によれば、メッシュ付きフィルター９の上部と下部を持ってそれぞれ逆方向にひねるだけで、フィルター９ｃに残った絞り粕を簡単に処理することが出来て、洗浄を容易にすることが出来る。
【００２３】
（実施の形態２）
図５は、本発明の実施の形態２における回転調理装置のメッシュ付きフィルターの要部断面図である。なお、上記実施の形態１における回転調理装置と同一部分には同一符号を付してその説明を省略する。
【００２４】
本実施の形態における回転調理装置と、上記実施の形態１における回転調理装置とは、フィルター７の内部に着脱自在に装着されるメッシュ付きフィルターの構成のみ異なるものである。
【００２５】
図５に示すように、本実施の形態における回転調理装置のメッシュ付きフィルター１９の上枠１９ａ、下枠１９ｂは、リング状の樹脂など（例えばポリプロピレン）で出来ており、さらに、上枠１９ａと下枠１９ｂの間にメッシュ状のフィルター１９ｃが着脱可能に装着されている。上枠１９ａはなく、下枠１９ｂとフィルター１９ｃだけで構成してもよい。また、フィルター１９ｃのメッシュサイズは、数十メッシュあるいは数百メッシュのサイズとしている。
【００２６】
本実施の形態における回転調理装置のメッシュ付きフィルター１９は以上のように構成されているので、使用後はメッシュ付きフィルター１９の上枠１９ａと下枠１９ｂとフィルター１９ｃに分解でき、フィルター１９ｃに残った絞り粕を簡単に処理することが出来て、洗浄を容易にすることが出来る。
【００２７】
さらに、メッシュのみ使用するものと比べ、上部や下部からの微小な固形物の漏れを防ぐことが出来て、よりクリアなジュースを作ることが出来る。
【００２８】
また、メッシュ状のフィルター１９ｃのみを付け替えるだけで、食材や好みによって、ジュースの濃度を変化させることが出来て、安価で収納スペースも不要な回転調理装置を提供することが出来る。
【産業上の利用可能性】
【００２９】
以上のように、本発明にかかる回転調理装置は、メッシュ状のフィルターに残った絞り粕を簡単に処理することが出来るため、お手入れ性が向上するもので、回転調理装置に限らず、メッシュを使って固形物を分離する各種機器にも応用可能である。
【符号の説明】
【００３０】
１  本体
２  モータ
３ａ、３ｂ  駆動コネクタ
４ａ、４ｂ  従動側コネクタ
５  カッター
６  スピンナー
７、９ｃ、１９ｃ  フィルター
８  容器
９、１９  メッシュ付きフィルター
１１  蓋
【図１】
2014014422.tif 000003
【図２】
2014014422.tif 000004
【図３】
2014014422.tif 000005
【図４】
2014014422.tif 000006
【図５】
2014014422.tif 000007
【図６】
2014014422.tif 000008